(57)【特許請求の範囲】
【請求項１】
媒体の整理処理を行う運用モードおよび保守を行う保守モードを含む複数のモードのうちのいずれかのモードで稼働する媒体整理装置であって、
記録媒体が装着される装着部と、
前記装着部に前記記録媒体が装着されていることを検知する検知部と、
前記モードを設定する制御部と、
を備え、
前記制御部は、前記保守モードから前記運用モードへの切替操作が行われた際に前記検知部が前記記録媒体の装着を検知している状態においては、前記記録媒体の装着を維持したまま前記モードを前記運用モードに設定するか否かを、
前記記録媒体の装着を維持したまま前記モードを前記運用モードに設定することを許可する許可設定が行われたか否かに基づいて、判断する、
媒体整理装置。
【請求項２】
操作者に対して表示を行う表示部をさらに備え、
前記制御部は、
前記許可設定が行われていない場合には、
前記表示部に、前記操作者に対して前記記録媒体の取り外しを誘導する第１の誘導表示を行うように指示する、
請求項１に記載の媒体整理装置。
【請求項３】
操作者に対して表示を行う表示部をさらに備え、
前記制御部は、
前記許可設定が行われていない場合には、
前記表示部に、
前記操作者に対して前記許可設定を行うか否かを選択する選択操作を誘導する第２の誘導表示を行うように指示する、
請求項１に記載の媒体整理装置。
【請求項４】
操作者による操作を受け付ける操作部をさらに備え、
前記許可設定は、前記操作者が前記操作部を操作することにより設定される、
請求項１に記載の媒体整理装置。
【請求項５】
前記記録媒体に書き込まれた情報を読み取る読取部をさらに備え、
前記制御部は、
前記許可設定が行われたか否かを、
前記読取部によって読み取られた前記情報に、前記媒体整理装置を特定する特定情報が含まれているか否か基づいて、判断する、
請求項１に記載の媒体整理装置。
【請求項６】
前記記録媒体に情報を書き込む、書込部をさらに備え、
前記許可設定は、前記書込部によって前記特定情報が前記記録媒体に書き込まれることにより、設定される、
請求項５に記載の媒体整理装置。
【発明の詳細な説明】
【技術分野】
【０００１】
本発明は、媒体整理装置に関する。
【背景技術】
【０００２】
金融機関や店舗等において、紙状媒体としての紙幣を金種ごとに分類し、計数し、さらに所定数ごとに結束する紙幣整理装置（媒体整理装置）が利用されている。例えば、紙幣整理装置は、紙幣を取り込む取込部と、取り込まれた紙幣の正損状態と金種とを鑑別し、且つ、紙幣を計数する鑑別部と、紙幣を金種ごとに集積する複数の集積部と、集積された紙幣を所定の枚数ごとに結束帯で結束する結束部と、紙幣を紙幣整理装置内の各所へ搬送する搬送部と、鑑別部での鑑別結果に基づいて、紙幣を各集積部へ搬送するように搬送部を制御する制御部と、を主に有する。そして、このような紙幣整理装置のような装置を保守する際には、保守員は、記録媒体を当該装置に装着して、記録媒体に記録されたプログラム、情報等を当該装置に書き込んだり、当該装置内に記録された情報を読み出したりする。紙幣整理装置ではないが、保守の際に記録媒体を装着する装置の一例としては、下記の特許文献１に記載の装置を挙げることができる。
【先行技術文献】
【特許文献】
【０００３】
【特許文献１】特開２００６−３０９５３１号公報
【発明の概要】
【発明が解決しようとする課題】
【０００４】
紙幣整理装置は、紙幣や、金融機関等の業務に関する情報、顧客に関する個人情報等を取り扱うため、当該装置が行う紙幣整理処理（媒体整理処理）中に取得した情報は厳重に管理することが求められる。したがって、記録媒体を用いて容易に上記情報等を取得できないようにするため、従来の紙幣整理装置は、当該装置自身が、当該装置に記録媒体が装着されていないことを確認した後ではないと、紙幣整理装置の保守を行う保守モードから、紙幣整理処理を行う運用モードへと移行させることはできない。より具体的には、従来の紙幣整理装置においては、保守作業が終了し、当該装置が保守モードから運用モードへと移行する際に、保守員による記録媒体の取り忘れを防止するために、当該装置は、保守員に対して記録媒体の取り外しを誘導する誘導表示を行う。そして、当該装置は、保守員により記録媒体が取り外されたことを確認した後、保守モードから運用モードに移行する。
【０００５】
ところで、紙幣整理装置を安定的に維持管理するためには、運用モード中に当該装置で生じた処理エラーのような運用モード中に生じる事象についての情報が求められることがある。しかしながら、従来の紙幣整理装置においては、記録媒体の取り外しが確認されないと運用モードに移行することができないため、運用モード中に、記録媒体を装着して、上記情報を取得することはできない。
【０００６】
そこで、本発明は、上記問題に鑑みてなされたものであり、本発明の目的とするところは、特定の場合において媒体整理処理中に記録媒体を装着することを可能にしつつ、情報を厳重に管理することができる、新規かつ改良された媒体整理装置を提供することにある。
【課題を解決するための手段】
【０００７】
上記課題を解決するために、本発明のある観点によれば、媒体の整理処理を行う運用モードおよび保守を行う保守モードを含む複数のモードのうちのいずれかのモードで稼働する媒体整理装置であって、記録媒体が装着される装着部と、前記装着部に前記記録媒体が装着されていることを検知する検知部と、前記モードを設定する制御部と、を備え、前記制御部は、前記保守モードから前記運用モードへの切替操作が行われた際に前記検知部が前記記録媒体の装着を検知している状態においては、前記記録媒体の装着を維持したまま前記モードを前記運用モードに設定するか否かを、前記記録媒体の装着を維持したまま前記モードを前記運用モードに設定することを許可する許可設定が行われたか否かに基づいて、判断する、媒体整理装置が提供される。
【０００８】
前記媒体整理装置は、操作者に対して表示を行う表示部をさらに備え、前記制御部は、
前記許可設定が行われていない場合には、前記表示部に、前記操作者に対して前記記録媒体の取り外しを誘導する第１の誘導表示を行うように指示してもよい。
【０００９】
前記媒体整理装置は、操作者に対して表示を行う表示部をさらに備え、前記制御部は、前記許可設定が行われていない場合には、前記表示部に、前記操作者に対して前記許可設定を行うか否かを選択する選択操作を誘導する第２の誘導表示を行うように指示してもよい。
【００１０】
前記媒体整理装置は、前記操作者による操作を受け付ける操作部をさらに備え、前記許可設定は、前記操作者が前記操作部を操作することにより設定されてもよい。
【００１１】
前記媒体整理装置は、前記記録媒体に書き込まれた情報を読み取る読取部をさらに備え、前記制御部は、前記許可設定が行われたか否かを、前記読取部によって読み取られた前記情報に、前記媒体整理装置を特定する特定情報が含まれているか否か基づいて、判断してもよい。
【００１２】
前記媒体整理装置は、前記記録媒体に情報を書き込む、書込部をさらに備え、前記許可設定は、前記書込部によって前記特定情報が前記記録媒体に書き込まれることにより、設定されてもよい。
【発明の効果】
【００１４】
以上説明したように本発明によれば、特定の場合において媒体整理処理中に記録媒体を装着することを可能にしつつ、情報を厳重に管理することができる。
【図面の簡単な説明】
【００１５】
【図１】第１の実施形態に係る紙幣整理装置１０の基本構成を示した説明図である。
【図２】第１の実施形態に係る紙幣整理装置１０における制御系のブロック図である。
【図３】第１の実施形態による処理方法のフローチャート（その１）である。
【図４】第１の実施形態による処理方法のフローチャート（その２）である。
【図５】第１の実施形態に係る誘導画面５０の一例を説明する説明図である。
【図６】第１の実施形態の変形例による処理方法のフローチャート（その１）である。
【図７】第１の実施形態の変形例による処理方法のフローチャート（その２）である。
【図８】第１の実施形態の変形例に係る誘導画面６０の一例を説明する説明図である。
【図９】第２の実施形態による処理方法のフローチャート（その１）である。
【図１０】第２の実施形態による処理方法のフローチャート（その２）である。
【図１１】第２の実施形態による処理方法のフローチャート（その３）である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
以下の説明においては、金融機関や店舗等のバックヤードにおいて、紙幣を金種ごとに分類し、計数し、さらに所定数ごとに結束する紙幣整理装置に本発明の実施形態を適用した場合について説明する。なお、以下に説明する実施形態は、紙幣整理装置に適用することに限定されるものではなく、金融機関、店舗等で使用される取引装置や自動釣銭機等に適用してもよく、もしくは、店舗や公共施設等で、紙状媒体を分類、整理する機構を有する媒体整理装置に適用してもよい。すなわち、以下に説明する実施形態においては、媒体は紙幣に限定されるものではなく、紙状の媒体であれば特に限定されない。
【００１８】
＜＜第１の実施形態＞＞
＜紙幣整理装置１０＞
まずは、第１の実施形態に係る紙幣整理装置１０の構成について説明する。紙幣整理装置１０は、操作者により投入された例えば紙幣のような紙状媒体を整理するための装置であり、詳細には、投入された紙幣を鑑別し、計数し、得られた鑑別結果に基づいて紙幣の金種ごとに紙幣を集積し、集積された紙幣を所定の枚数ごとに結束する紙幣整理処理を行う。
【００１９】
この紙幣整理装置１０は、２つのモードで稼動することができる。例えば、この２つのモードのうち、一方のモードは、紙幣の整理処理を行う運用モード（第１のモード）であり、他方のモードは、紙幣整理装置１０の保守を行う保守モード（第２のモード）である。なお、本実施形態においては、紙幣整理装置１０は、上述の運用モード及び保守モードで稼動することに限定されるものではなく、異なる２つのモードで稼動することができれば、各モードの稼動内容については特に限定されるものではない。さらに、本実施形態においては、紙幣整理装置１０は、２つのモードで稼動することに限定されるものではなく、上述の２つのモードの他に、さらなる他のモードで稼動してもよい。
【００２０】
まずは、紙幣整理装置１０の基本構成を示した説明図である図１、及び紙幣整理装置１０における制御系のブロック図である図２を参照して、紙幣整理装置１０の基本構成について説明する。なお、図１においては、紙幣整理装置１０の操作者（例えば、保守員）は、紙幣整理装置１０の左側に位置するものとする。
【００２１】
本実施形態に係る紙幣整理装置１０は、図１に示すように、取込部１００、鑑別部１０２、リジェクトポケット１０４、オープンポケット１０６、表裏反転部１０８、集積部１１０、移送部１１２、紙幣結束部１１４、搬送部１１６、操作表示部１２０、操作部１２２、基板１２４、記憶部１２６、外部インターフェース部１２８、制御部１３０、装着部１３２、検知部１３４、読取書込部１３６、及び扉１３８を主に有する。
【００２２】
（取込部１００）
取込部１００は、紙幣整理装置１０の操作者と向かい合うように設けられ、操作者によって投入された複数の紙幣を取り込む部位である。取込部１００は、例えば、紙幣を収納する収納空間１５４と、ローラ１５０と、収納空間１５４からローラへ紙幣をガイドするガイド１５６と、紙幣をガイド１５６に押し当てるためのビルプレス１５８とを含む。収納空間１５４に投入された紙幣は、ビルプレス１５８によってガイド１５６に押し当てられ、ガイド１５６によってローラ１５０へ押し出され、ローラ１５０が回転することによって、搬送部１１６に一枚ずつ繰り出される。なお、取込部１００は、ビルプレス１５８の移動量を検知するセンサ（図示省略）等を有することによって、紙幣整理装置１０に投入された全ての紙幣の処理の完了（投入完了）を検知することができるように構成してもよい。
【００２３】
（鑑別部１０２）
鑑別部１０２には、その内部にＯＣＲ（Ｏｐｔｉｃａｌ  Ｃｈａｒｃｔｅｒ  Ｒｅｃｏｇｎｉｔｉｏｎ）といったイメージセンサや磁気センサといった真偽センサ等の複数種類のセンサ（図示省略）が組み込まれている。そして、鑑別部１０２は、取込部１００に投入され、鑑別部１０２に搬送された紙幣に対して、例えば紙幣の真偽、金種などの紙幣の種類、正券（例えば、汚れが少ない紙幣）であるか損券（例えば、汚れが多い紙幣）であるかといった紙幣の正損状態、鑑別時における紙幣の表裏の向きを鑑別することができる。さらに、鑑別部１０２は、鑑別した紙幣を紙幣の種別ごとに計数することができ、計数した紙幣に記載された記番号を読み取ることもできる。なお、鑑別部１０２により鑑別された紙幣は、鑑別部１０２から排出され、鑑別結果に基づいて搬送先（例えば各集積部１１０）に搬送される。
【００２４】
（リジェクトポケット１０４）
リジェクトポケット１０４は、本実施形態に係る紙幣排出部の一例である。リジェクトポケット１０４は、鑑別部１０２により金種不明もしくは受付不能と鑑別された紙幣を格納する部位である。図１に示した例においては、リジェクトポケット１０４は、紙幣整理装置１０内の上方に設けられており、リジェクトポケット１０４に格納された紙幣を、紙幣整理装置１０の操作者が容易に回収することが可能である。
【００２５】
（オープンポケット１０６）
オープンポケット１０６は、本実施形態における結束対象外紙幣格納部の一例である。例えば、鑑別部１０２による鑑別結果が、リジェクトポケット１０４への搬送対象外で、かつ、予め紙幣整理装置１０における結束対象と定められている鑑別種別に該当しない場合には、鑑別され、搬送された紙幣は、オープンポケット１０６に格納される。オープンポケット１０６に格納される紙幣としては、予め結束対象と定められている鑑別種別が正券とされている場合には、損券がその一例として挙げられる。また、オープンポケット１０６は、図１に示した例においては、紙幣整理装置１０内の上方に設けられており、格納された紙幣を操作者が容易に回収することが可能である。なお、図１においては、オープンポケット１０６が２つ設けられているが、本実施形態においては、オープンポケット１０６の数が２つに限定されるものではなく、１つ以上あればよい。
【００２６】
（表裏反転部１０８）
表裏反転部１０８は、例えば、搬送された紙幣のうち裏面が上になっている紙幣に関して、表裏を反転する部位である。このようにすることで、紙幣は、表面が上になる状態で各集積部１１０に集積されることができる。なお、本実施形態においては、表裏反転部１０８は、裏面が上になっている紙幣に対して反転する動作を行うことに限定されるものではなく、逆に、表面が上になっている紙幣に対して反転する動作を行ってもよい。また、図１の例においては、表裏反転部１０８は、操作者から見て、紙幣整理装置１０内の鑑別部１０２の後ろに設けられている。そして、表裏反転部１０８は、基本的には、搬送先が各集積部１１０である紙幣だけが搬送される。
【００２７】
（集積部１１０）
各集積部１１０は、基本的には、鑑別部１０２による鑑別結果が予め結束対象と定められている鑑別種別に該当する場合に、鑑別された紙幣が搬送され、かつ、搬送された紙幣を種別ごとに、集積する部位である。各集積部１１０は、例えば操作者側に設けられた扉１３８を開けることによって、操作者によって取り出されることができる。扉１３８には、電磁ロック等の施錠機構（図示省略）及び扉１３８の開閉を検知する開閉センサ（図示省略）が設けられており、後述の制御部１３０が、施錠機構及び開閉センサを制御することにより、扉１３８の施錠を制御し、操作者による扉１３８の開閉を検知することができる。また、各集積部１１０は、予め定められた結束枚数（例えば１００枚）まで集積することが可能である。そして、各集積部１１０に集積されている紙幣の枚数が結束枚数に達した場合には、集積されている紙幣は移送部１１２に搬送される。なお、図１の例においては、紙幣整理装置１０内の下方に、５個の集積部１１０が縦一列に設けられているが、本実施形態においては、５個の集積部１１０に限定されるものではなく、集積部１１０は、紙幣整理装置１０内に少なくとも２個以上設けられればよいが、紙幣整理装置１０において取り扱う金種の種類よりも多い数設けられることが好ましい。
【００２８】
また、各集積部１１０には、集積された紙幣の容量を検知するための集積部用検知部（図示省略）が設けられている。集積部用検知部は、例えば光学式センサであることができ、集積部１１０に集積された紙幣によって光が遮られることにより集積された紙幣の容量を検知することができる。そして、集積部用検知部は、取得した検知結果を制御部１３０に伝達する。制御部１３０は、制御部１３０へと検知結果を伝達した集積部用検知部の設置位置により、どの集積部１１０に集積された紙幣の容量の検知結果であるかを認識することができ、さらに、集積部１１０における集積部用検知部の設置高さにより、その高さにまで紙幣が集積されたこと、すなわち、集積された紙幣の容量を認識することができる。具体例としては、集積部用検知部が予め定められた結束枚数（例えば１００枚）に対応する高さに設置されていれば、集積部用検知部が集積された紙幣によって光が遮られていることを検知した場合には、制御部１３０は、集積部１１０内に予め定められた結束枚数の紙幣が集積されていると認識することができる。
【００２９】
（移送部１１２）
移送部１１２は、各集積部１１０から搬送された結束枚数の紙幣を紙幣結束部１１４へ移送する部位である。図１においては簡略化して示しているが、移送部１１２は、紙幣整理装置１０内に設けられ、紙幣整理装置１０の内部を図１の上下方向に集積部１１０と紙幣結束部１１４との間を移動し、各集積部１１０から所定枚数（例えば、１００枚）の紙幣を、クランプ部１１２ａを用いてクランプして抜き取り、紙幣結束部１１４に受け渡す。
【００３０】
（紙幣結束部１１４）
紙幣結束部１１４は、紙幣整理装置１０内に設けられ、移送部１１２から移送された所定の結束枚数の紙幣に対して例えばテープを巻き付けて結束することにより、紙幣束を作成する。
【００３１】
（搬送部１１６）
搬送部１１６は、紙幣を各集積部１１０等の搬送先へ搬送する。詳細には、搬送部１１６は、図１中では帯状に示され、取込部１００から、鑑別部１０２及び表裏反転部１０８を貫き、集積部１１０等まで連続して設けられ、紙幣が搬送される搬送路（図示省略）と、複数のローラ（図示省略）と、紙幣を案内する複数の切替部（図示省略）とを有する。各ローラは、搬送路を挟んで対向するように配置され、制御部１３０により制御され各ローラが回転することにより、搬送路が所定の方向に移動し、紙幣を搬送することができる。さらに、搬送路に接して設けられた楔形形状の切替部の傾斜方向を変化させることで、紙幣の搬送方向を切り替えることができる。
【００３２】
（操作表示部１２０）
操作表示部１２０は、本実施形態における表示部の一例である。操作表示部１２０は、図１においては、紙幣整理装置１０の上に位置し、操作者と向かい合う。さらに、操作表示部１２０は、紙幣整理装置１０の操作者に対して操作画面等を表示する表示部、及び操作者の操作を受け付ける操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。操作表示部１２０は、後述する制御部１３０の制御に従って、各種の操作画面、計数結果、誘導画面等などを表示し、紙幣整理装置１０の稼動モードの設定操作のような操作者による紙幣整理装置１０に対する各種の入力操作を受け付け、制御部１３０に伝達する。なお、操作表示部１２０の操作部と表示部とは、上述のように、操作機能と表示機能の両方の機能を包含する操作表示部として構成されることに限定されるものではなく、例えば、操作部であるキーボードと表示部であるＣＲＴディスプレイ装置との組み合わせのように、別体のものとして構成されていてもよく、さらに、操作機能及び表示機能を有する各部位又は単一の部位が紙幣整理装置１０の外部に位置していてもよい。
【００３３】
（操作部１２２）
操作部１２２は、本実施形態における操作部の一例である。操作部１２２は、図１においては、紙幣整理装置１０の上に位置する。操作部１２２には、例えば、操作者によって紙幣の計数を紙幣整理装置１０へ指示する機械式ボタン（図示省略）、紙幣整理装置１０に障害が生じた場合に紙幣整理装置１０を再稼動させる機械式のリセットボタン（図示省略）等を含むことができる。また、操作部１２２には、紙幣整理装置１０の処理状態を示すランプ（図示省略）が取り付けられており、例えば、当該ランプは、処理中には緑色に発光し、障害が発生した場合には赤色に発光することができる。なお、これらの操作部１２２の機能は、操作表示部１２０によって実現してもよい。
【００３４】
（基板１２４）
基板１２４は、紙幣整理装置１０の内部に設けられ、例えば、後述する記憶部１２６、外部インターフェース部１２８、制御部１３０、装着部１３２、検知部１３４、及び読取書込部１３６を有する。詳細には、この基板１２４は、例えば、操作者が、扉１３８を開け、さらに集積部１１０を操作者側へ紙幣整理装置１０から引き出すことで、操作者に対して露出するように設けられている。なお、本実施形態においては、基板１２４は、上述のように設けられていることに限定されるものではなく、例えば、基板１２４は、扉１３８に対して反対側に設けられた保守用扉（図示省略）を開けることにより、紙幣整理装置１０の外側に対して露出するように設けられていてもよい。
【００３５】
（記憶部１２６）
記憶部１２６は、例えば紙幣整理装置１０内の基板１２４上に設けられ、例えば、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等により構成される。記憶部１２６は、例えば、制御部１３０が使用する制御プログラム、制御部１３０が用いる各種情報や鑑別部１０２による鑑別の際に用いられる情報が格納されるほか、鑑別部１０２による鑑別結果、計数結果および鑑別された紙幣に関する処理状況が各紙幣に対応づけて記憶される。さらに、具体的には、記憶部１２６に記憶される鑑別結果としては、紙幣の種別（金種）、紙幣の正損状態、紙幣の表裏、搬送先等が挙げられる。ここで、表裏とは、鑑別時における該当の紙幣の表裏の向きのことであり、搬送先とは、該当の紙幣が搬送される格納先のことである。そして、記憶部１２６に記憶された情報は、後述する読取書込部１３６によって、後述する装着部１３２に装着された記録媒体に書き込まれてもよく、もしくは、当該記録媒体に記録された情報を、読取書込部１３６によって記憶部１２６に書き込んでもよい。なお、記憶部１２６は、紙幣整理装置１０の外部に設けられ、紙幣整理装置１０と通信ネットワークで接続されていてもよい。
【００３６】
（外部インターフェース部１２８）
外部インターフェース部１２８は、例えば紙幣整理装置１０内の基板１２４上に設けられ、通信ネットワークを介して外部装置との間で通信を行う通信インターフェースである。具体的には、外部インターフェース部１２８は、外部装置からの指示を受け取ったり、外部装置へ情報を通信したりすることができる。なお、外部インターフェース部１２８は、紙幣整理装置１０の外部に設けられ、紙幣整理装置１０と通信ネットワークで接続されていてもよい。
【００３７】
（制御部１３０）
制御部１３０は、例えば紙幣整理装置１０内の基板１２４上に設けられ、ＣＰＵ（Ｃｅｎｔｒａｌ  Ｐｒｏｃｅｓｓｉｎｇ  Ｕｎｉｔ）を中心に構成されており、計数処理等の種々の処理のための制御、紙幣整理装置１０の稼動モードを設定する制御等を行うことができる。詳細には、図２に示す、紙幣整理装置１０における制御系のブロック図にように、制御部１３０は、操作表示部１２０からの入力や外部インターフェース部１２８が受け入れた外部装置（例えば、制御端末）からの情報に基づいて、記憶部１２６から所定のプログラムを読み出して実行することにより、操作表示部１２０、鑑別部１０２等の紙幣整理装置１０の各所を制御することができる。また、制御部１３０は、計数の完了を検知したり、各集積部１１０に集積する紙幣の金種を割当てたり、鑑別部１０２による紙幣の鑑別結果に基づいて、または、検知部１１８の検知結果に基づいて、紙幣の搬送先を決定したり、さらに、操作者による設定に基づいて、紙幣整理装置１０の稼動モードを切り替えたりすることができる。なお、制御部１３０は、紙幣整理装置１０の外部に設けられ、紙幣整理装置１０と通信ネットワークで接続されていてもよい。
【００３８】
（装着部１３２）
装着部１３２は、例えば紙幣整理装置１０内の基板１２４上に設けられ、ＵＳＢ（Ｕｎｉｖｅｒｓａｌ  Ｓｅｒｉａｌ  Ｂｕｓ）メモリのような記録媒体を装着することができるコネクタである。具体的には、例えば、操作者が、扉１３８を開け、さらに紙幣整理装置１０から集積部１１０を操作者側へ引き出した後に、記録媒体を装着部１３２に装着することができる。装着部１３２に記録媒体が装着された場合には、後述する検知部１３４により記録媒体の装着が検知される。なお、装着部１３２は、紙幣整理装置１０内に設けられることに限定するものではなく、例えば、紙幣整理装置１０の外表面に設けられていてもよい。
【００３９】
（検知部１３４）
検知部１３４は、例えば紙幣整理装置１０内の基板１２４上に設けられ、装着部１３２に記録媒体が装着しているか否かを検知する。例えば、検知部１３４は、装着部１３２と記録媒体との間の電気の導通を検知することにより、記録媒体の装着を検知する電気式センサであってもよく、もしくは、光が記録媒体によって遮断されることで記録媒体の装着を検知する光学式センサであってもよく、特に限定されるものではない。
【００４０】
（読取書込部１３６）
読取書込部１３６は、例えば紙幣整理装置１０内の基板１２４上に設けられ、装着部１３２に装着された記録媒体に書き込まれた情報を読み取ったり、当該記録媒体に情報を書き込んだりする機能を有する。なお、読取書込部１３６は、上述のように、読取機能と書込み機能の両方の機能を包含する読取書込部として構成されることに限定されるものではなく、例えば、別体のものとして構成されていてもよい。また、読取書込部１３６は、上述の検知部１３４の機能、すなわち、装着部１３２に記録媒体が装着しているか否かを検知する機能をも担ってもよい。
【００４１】
なお、第１の実施形態に係る紙幣整理装置１０においては、図１に図示されていないが、紙幣検知部を紙幣整理装置１０内の搬送部１１６の各所に複数設けてもよい。紙幣検知部は、搬送部１１６における紙幣の搬送状態を検知し、得られた検知結果を制御部１３０に伝達する。紙幣検知部としては、例えば、紙幣により光が遮られることにより搬送状態を検知する受発光センサからなる光学式センサ等を用いることができる。
【００４２】
＜処理フロー＞
以上、本実施形態にかかる紙幣整理装置１０の構成について説明した。次に、本実施形態にかかる処理のフローを説明する。以下に説明においては、紙幣整理装置１０に対して所定の設定が行われた場合には、運用モード中に記録媒体を装着することを可能にしつつ、紙幣整理装置１０が取得した情報を厳重に管理することができる処理について説明する。詳細には、本実施形態においては、検知部１３４が装着部１３２に記録媒体が装着されていることを検知している状態においては、制御部１３０は、記録媒体の装着を維持したまま運用モードに設定するか否かを、記録媒体の装着を維持したまま運用モードに設定することを許可する許可設定が行われたか否かに基づいて、判断する。
【００４３】
上述の許可設定は、制御部１３０に対して、操作者が装着部１３２に記録媒体の装着させたまま運用モードに設定することを許可する設定であり、例えば、紙幣整理装置１０が運用モードでの紙幣整理処理を開始する前や、保守モードでの保守作業を行う前等に、操作者が操作表示部１２０を操作することにより、あらかじめ設定することができる。そして、操作者による操作を受けて、制御部１３０は、記憶部１２６に対して、上記許可設定が行われたことを記憶するように指示する。なお、先に説明したように、紙幣整理装置１０に対しては、その装置としての性格上、当該装置が行う紙幣整理処理中に取得した情報については厳重に管理することが求められており、よって、容易に上記情報を取得できないようにすることが求められる。従って、上記許可設定の際には、許可設定を行うことができる権限を持つ操作者によって許可設定が行われていることを確認するために、当該装置は、操作者に対して、当該権限を持つ操作者を特定するためのパスワードの入力を求めることが好ましい。さらに、紙幣整理装置１０は、許可設定を行うことができる権限を有する複数人の操作者によって重畳して入力操作することにより、許可設定が完了するようにするように構成するようにしてもよい。
【００４４】
まずは、この紙幣整理装置１０を用いた第１の実施形態にかかる処理方法について、図３から図５を参照して説明する。図３及び図４は、本実施形態に係る処理方法のフローチャート図である。図３のフローチャート図には、ステップＳ１０１からステップＳ１２１までが含まれ、図４のフローチャート図には、図３のステップＳ１２１の後に行われるステップＳ１２３からステップＳ１３７までが含まれる。また、図５は、本実施形態に係る誘導画面（第１の誘導表示）５０の一例を説明する説明図である。
【００４５】
まず、図３のフローチャート図のステップＳ１０１からステップＳ１２１までを説明する。
【００４６】
（ステップＳ１０１）
制御部１３０は、紙幣整理装置１０が保守モードに設定されているか否かを、操作表示部１２０からの出力に基づいて、判断する。紙幣整理装置１０が保守モードに設定されていれば、ステップＳ１０３へ進む。一方、紙幣整理装置１０が運用モードに設定されていれば、ステップＳ１２１へ進む。
【００４７】
（ステップＳ１０３）
制御部１３０は、操作表示部１２０からの出力に基づいて、操作者により、紙幣整理装置１０を保守モードから運用モードに切り替える切替操作が行われたか否かを、判断する。上記切替操作が行なわれた場合には、ステップＳ１０５へ進む。一方、上記切替操作が行なわれていない場合には、ステップＳ１０１へ戻る。
【００４８】
（ステップＳ１０５）
制御部１３０は、検知部１３４の出力に基づいて、装着部１３２に対する記録媒体の装着が検知されていないかどうかを、判断する。記録媒体の装着が検知されていない場合には、ステップＳ１１９へ進む。一方、記録媒体の装着が検知された場合には、ステップＳ１０７へ進む。
【００４９】
（ステップＳ１０７）
制御部１３０は、記憶部１２６に記憶された情報を参照して、記録媒体の装着を維持したまま運用モードに設定することを許可する許可設定が行われたか否かを、判断する。許可設定が行われている場合には、ステップＳ１１９へ進む。一方、許可設定が行われていない場合には、ステップＳ１１５へ進む。
【００５０】
（ステップＳ１１５）
制御部１３０は、操作表示部１２０に、操作者に対して、装着部１３２からの記録媒体の取り外しを誘導する誘導画面５０の表示を行うように指示する。この指示に基づいて、操作表示部１２０は、例えば、図５に示される誘導画面５０にように、記録媒体が装着されていることを操作者に対して通知する表示とともに、記録媒体の取り忘れを防止するために、操作者に対して装着部１３２からの記録媒体の取り外しを誘導する表示を行う。そして、この誘導画面５０によって誘導されることにより、操作者は、記録媒体を装着部１３２から取り外すこととなる。次いで、ステップＳ１１７へ進む。なお、本実施形態においては、誘導画面５０は、図５に示される画面に限定されることはなく、例えば、表示内容に従って操作者が記録媒体の取り外し作業を完了したことを紙幣整理装置１０へ通知するための作業完了ボタン等を含んでもよい。この場合、操作者が取り外し作業を完了し、上記作業完了ボタンに対して操作を行ったことをトリガーにして、ステップＳ１１７へ進んでもよい。
【００５１】
（ステップＳ１１７）
制御部１３０は、ステップＳ１０５と同様に、検知部１３４の出力に基づいて、記録媒体の装着が検知されていないかどうかを、判断する。記録媒体の装着が検知されていない場合には、ステップＳ１１９へ進む。一方、記録媒体の装着が検知された場合には、ステップＳ１１５へ戻る。
【００５２】
（ステップＳ１１９）
制御部１３０は、紙幣整理装置１０を運用モードに切り替えて、本実施形態に係る処理を終了する。
【００５３】
（ステップＳ１２１）
制御部１３０は、紙幣整理装置１０が運用モードに設定されており、且つ、操作者によって運用モードにおいて媒体整理処理を開始する操作が行われたか否かを、操作表示部１２０からの出力に基づいて、判断する。紙幣整理装置１０が運用モードに設定されており、且つ、操作者によって運用モードにおいて媒体整理処理を開始する操作が行われて場合には、図４のステップＳ１２３へ進む。一方、紙幣整理装置１０が運用モードに設定されており、且つ、操作者によって運用モードにおいて媒体整理処理を開始する操作が行われていない場合には、ステップＳ１２１へ戻る。
【００５４】
次に、図３のステップＳ１２１の後に行われる、図４のフローチャート図のステップＳ１２３からステップＳ１３７までを説明する。
【００５５】
（ステップＳ１２３）
制御部１３０は、図３のステップＳ１０５と同様に、検知部１３４の出力に基づいて、記録媒体の装着が検知されていないかどうかを、判断する。記録媒体の装着が検知されていない場合には、ステップＳ１３７へ進む。一方、記録媒体の装着が検知された場合には、ステップＳ１２５へ進む。
【００５６】
（ステップＳ１２５）
制御部１３０は、図３のステップＳ１０７と同様に、記憶部１２６に記憶された情報を参照して、記録媒体の装着を維持したまま運用モードに設定することを許可する許可設定が行われたか否かを、判断する。許可設定が行われている場合には、ステップＳ１３７へ進む。一方、許可設定が行われていない場合には、ステップＳ１３３へ進む。
【００５７】
（ステップＳ１３３）
制御部１３０は、図３のステップＳ１１５と同様に、操作表示部１２０に、操作者に対して、記録媒体の取り忘れを防止するために、装着部１３２からの記録媒体の取り外しを誘導する誘導画面５０の表示を行うように指示する。この指示に基づいて、操作表示部１２０は、例えば、図５に示される誘導画面５０にように表示を行う。そして、この誘導画面５０によって誘導されることにより、操作者は、記録媒体を装着部１３２から取り外すこととなる。次いで、ステップＳ１３５へ進む。なお、本実施形態においては、誘導画面５０は、図５に示される画面に限定されることはなく、例えば、表示内容に従って操作者が記録媒体の取り外し作業を完了したことを紙幣整理装置１０へ通知するための作業完了ボタン等を含んでもよい。この場合、操作者が取り外し作業を完了し、上記作業完了ボタンに対して操作を行ったことをトリガーにして、ステップＳ１３５へ進んでもよい。
【００５８】
（ステップＳ１３５）
制御部１３０は、図３のステップＳ１１７と同様に、検知部１３４の出力に基づいて、記録媒体の装着が検知されていないかどうかを、判断する。記録媒体の装着が検知されていない場合には、ステップＳ１３７へ進む。一方、記録媒体の装着が検知された場合には、ステップＳ１３３へ戻る。
【００５９】
（ステップＳ１３７）
制御部１３０は、操作者による運用モードにおいて媒体整理処理を開始する操作に基づいて、運用モードにおいて媒体整理処理を開始し、本実施形態に係る処理を終了する。
【００６０】
ところで、先に説明したように、紙幣整理装置は、紙幣や、金融機関等の業務に関する情報、顧客に関する個人情報等を取り扱うため、当該装置が行う紙幣整理処理中に取得した情報については厳重に管理することが求められる。したがって、記録媒体によって容易に上記情報を取得できないようにするため、従来の紙幣整理装置は、当該装置自身が、当該装置に記録媒体が装着されていないことを確認した後ではないと、運用モードに設定することができないように構成される。しかしながら、紙幣整理装置を安定的に維持管理するためには、運用モード中に当該装置で生じた処理エラーのような運用モード中に生じる事象についての情報を取得して、取得した情報を解析することが求められることがある。しかしながら、従来の紙幣整理装置においては、記録媒体が取り外されたことが確認されないと運用モードに設定することができないため、運用モード中に、記録媒体を装着して、上記情報を取得することはできない。
【００６１】
そこで、本実施形態においては、検知部１３４が装着部１３２に記録媒体が装着されていることを検知している状態においては、制御部１３０が、記録媒体の装着を維持したまま運用モードに設定するか否かを、記録媒体の装着を維持したまま運用モードに設定することを許可する許可設定が行われたか否かに基づいて判断する。紙幣整理装置１０をこのように動作させることにより、本実施形態においては、許可設定が行われていない場合には、従来の紙幣整理装置と同様に、紙幣整理装置１０自身が、当該装置に記録媒体が装着されていないことを確認した後ではないと、運用モードに設定することはできない。一方、許可設定が行われていた場合には、記録媒体が装着されていても運用モードに設定することができる。したがって、本実施形態によれば、特定の場合（許可設定がされている場合）において運用モード中に記録媒体を装着することを可能にしつつ、特定の場合以外では、記録媒体の装着を維持したまま自由に運用モードに設定することができないことから、運用モード中に紙幣整理装置１０が取得した情報を厳重に管理することができる。
【００６２】
＜＜変形例＞＞
これまで説明した第１の実施形態においては、制御部１３０は、許可設定があらかじめ行われたか否かに基づいて、記録媒体の装着を維持したまま運用モードに設定するか否かを判断していた。それに対して、本変形例においては、処理中に許可設定を行う機会を設け、操作者が許可設定を後から行うことを可能にした。このようにすることで、本変形例によれば、紙幣整理装置１０の利便性をより向上させることができる。
【００６３】
なお、本変形例において、紙幣整理装置１０については、第１の実施形態と共通であり、第１の実施形態の紙幣整理装置１０の説明及び説明図である図１から図２を参照し得る。したがって、ここでは、本変形例に係る紙幣整理装置１０については、説明を省略する。
【００６４】
＜処理フロー＞
次に、上述の紙幣整理装置１０を用いた本変形例に係る処理方法について、図６から図８を参照して説明する。図６及び図７は、本変形例に係る処理方法のフローチャート図である。詳細には、図６のフローチャート図には、ステップＳ２０１からステップＳ２２１までが含まれる。図７のフローチャート図には、図６のステップＳ２２１の後に行われるステップＳ２２３からステップＳ２３７までが含まれる。また、図８は、本実施形態に係る誘導画面（第２の誘導表示）６０の一例を説明する説明図である。
【００６５】
詳細には、本変形例は、全体でステップＳ２０１からステップＳ２３７までを含み、第１の実施形態と比べると、第１の実施形態の処理方法に対して、ステップＳ２０９、ステップＳ２１１、ステップＳ２１３、ステップＳ２２７、ステップＳ２２９、及びステップＳ２３１を追加した処理方法となる。従って、本変形例の図６のステップＳ２０１からステップＳ２０５までは、第１の実施形態の図３のステップＳ１０１からステップＳ１０５と共通し、本変形例の図６のステップＳ２１５からステップＳ２２１までは、第１の実施形態の図３のステップＳ１１５からステップＳ１２１までと共通する。さらに、本変形例の図７のステップＳ２２３は、第１の実施形態の図４のステップＳ１２３と共通し、本変形例の図７のステップＳ２３３からステップＳ２３７までは、第１の実施形態の図４のステップＳ１３３からステップＳ１３７までと共通する。そのため、ここでは、これらの共通するステップの説明については省略する。
【００６６】
まず、図６のフローチャート図のステップＳ２０１からステップＳ２２１までのうち、第１の実施形態と共通ではないステップについて説明する。
【００６７】
（ステップＳ２０７）
制御部１３０は、記憶部１２６に記憶された情報を参照して、記録媒体の装着を維持したまま運用モードに設定することを許可する許可設定が行われたか否かを、判断する。許可設定が行われている場合には、ステップＳ２１９へ進む。一方、許可設定が行われていない場合には、ステップＳ２０９へ進む。
【００６８】
（ステップＳ２０９）
制御部１３０は、操作表示部１２０に、操作者に対して、許可設定を行うか否かを選択する選択操作を誘導する誘導画面６０の表示を行うように指示する。この指示に基づいて、操作表示部１２０は、例えば、図８に示される誘導画面６０のように、記録媒体が装着されていることを操作者に対して通知する表示とともに、操作者に対して、許可設定を行うか否かを選択する選択操作を誘導する表示を行う。より具体的には、誘導画面６０には、操作者が許可設定を行うか否かを選択するために「はい」ボタン及び「いいえ」ボタンが含まれる。そして、この誘導画面６０によって誘導されることにより、操作者は、許可設定を行うか否かを選択することとなる。次いで、ステップＳ２１１へ進む。なお、本実施形態においては、誘導画面６０は、図８に示される画面に限定されることはなく、例えば、操作者が上記選択操作を完了したことを紙幣整理装置１０へ通知するための作業完了ボタン等を含んでもよい。この場合、操作者が上記作業完了ボタンに対して操作を行ったことをトリガーにして、ステップＳ２１１へ進んでもよい。
【００６９】
なお、先に説明したように、紙幣整理装置１０においては、その装置としての性格上、当該装置が行う紙幣整理処理中に取得した情報については厳重に管理しなくてはならないため、容易に上記情報等を取得できないようにすることが求められる。従って、上述の誘導画面６０を用いた許可設定の際には、許可設定を行うことができる権限を持つ操作者によって許可設定が行われていることを確認するために、例えば、図８の誘導画面６０に含まれる、許可設定を行うことを選択する「はい」ボタンに対して操作が行われた場合には、当該装置は、操作者に対して、当該権限を持つ操作者を特定するためのパスワードの入力操作を誘導する画面を表示させることが好ましい。
【００７０】
（ステップＳ２１１）
制御部１３０は、操作表示部１２０の出力に基づいて、操作者によって許可設定を行うことが選択されたか否かを判断する。操作者が上記許可設定を行うことを選択した場合には、ステップＳ２１３へ進む。一方、操作者が上記許可設定を行わないことを選択した場合には、ステップＳ２１５へ進む。
【００７１】
（ステップＳ２１３）
制御部１３０は、紙幣整理装置１０に対して、許可設定を行う。具体的には、上記許可設定が行われたことを、記憶部１２６に記憶する。次いで、ステップＳ２１９へ進む。
【００７２】
次に、図６のステップＳ２２１の後に行われる、図７のフローチャート図のステップＳ２２３からステップＳ２３７までのうち、第１の実施形態と共通ではないステップについて説明する。
【００７３】
（ステップＳ２２５）
制御部１３０は、図６のステップＳ２０７と同様に、記憶部１２６に記憶された情報を参照して、許可設定が行われたか否かを、判断する。許可設定が行われている場合には、ステップＳ２３７へ進む。一方、許可設定が行われていない場合には、ステップＳ２２９へ進む。
【００７４】
（ステップＳ２２７）
制御部１３０は、図６のステップＳ２０９と同様に、操作表示部１２０に、操作者に対して、許可設定を行うか否かを選択する選択操作を誘導する誘導画面６０の表示を行うように指示する。この指示に基づいて、操作表示部１２０は、例えば、図８に示される誘導画面６０にように表示を行う。そして、この誘導画面６０によって誘導されることにより、操作者は、許可設定を行うか否かを選択することとなる。次いで、ステップＳ２２９へ進む。なお、本実施形態においては、誘導画面６０は、図８に示される画面に限定されることはなく、例えば、操作者が上記選択操作を完了したことを紙幣整理装置１０へ通知するための作業完了ボタン等を含んでもよい。
【００７５】
（ステップＳ２２９）
制御部１３０は、図６のステップＳ２１１と同様に、操作表示部１２０の出力に基づいて、操作者によって許可設定を行うことが選択されたか否かを判断する。操作者が上記許可設定を行うことを選択した場合には、ステップＳ２３１へ進む。一方、操作者が上記許可設定を行わないことを選択した場合には、ステップＳ２３３へ進む。
【００７６】
（ステップＳ２３１）
制御部１３０は、図６のステップＳ２１３と同様に、紙幣整理装置１０に対して許可設定を行う。具体的には、上記許可設定が行われたことを、記憶部１２６に記憶する。次いで、ステップＳ２３７へ進む。
【００７７】
以上のように、本変形例によれば、処理中に上述のステップＳ２０９及びステップＳ２２７のような許可設定を行う機会を設け、処理中に操作者によって許可設定を行うことを可能にすることにより、紙幣整理装置１０の利便性をより向上させることができる。
【００７８】
＜＜第２の実施形態＞＞
第２の実施形態においては、記録媒体に記録された情報に、紙幣整理装置１０を特定する特定情報（ｉｄｅｎｔｉｆｉｃａｔｉｏｎ；ＩＤ）が含まれているか否かに基づいて、制御部１３０は、許可設定が行われているか否かを判断する。このようにすることで、本実施形態によれば、特定の記録媒体に対してのみ運用モードでの装着を許可することができ、一度許可した場合には、当該記録媒体から上記特定情報が消去されない限りは、上述の誘導画面５０、６０等を表示させることなく、当該記録媒体の装着を維持したまま運用モードに設定することができるため、処理を迅速に進めることができ、ひいては紙幣整理装置１０の利便性を向上させることができる。
【００７９】
なお、本実施形態において、紙幣整理装置１０については、第１の実施形態と共通であり、第１の実施形態の紙幣整理装置１０の説明及び説明図である図１から図２を参照し得る。したがって、ここでは、本実施形態に係る紙幣整理装置１０については、説明を省略する。
【００８０】
また、本実施形態においては、紙幣整理装置１０を特定する特定情報とは、許可設定が行われる紙幣整理装置１０と紐づけられた情報であれば特に限定されるものではなく、例えば、紙幣整理装置１０に予め割り当てられた番号であってもよく、もしくは、紙幣整理装置１０に予め割り当てられた符号であってもよい。また、この特定情報は、当該特定情報に対応する紙幣整理装置１０の記憶部１２６に記憶される。
【００８１】
＜処理フロー＞
次に、上述の紙幣整理装置１０を用いた第２の実施形態にかかる処理方法について、図９から図１１を参照して説明する。図９から図１１は、本実施形態に係る処理方法のフローチャート図である。詳細には、図９のフローチャート図には、ステップＳ３０１からステップＳ３２１までが含まれ、図１０のフローチャート図には、図９のステップＳ３２１の後に行われるステップＳ３２３からステップＳ３３７までが含まれる。さらに、図１１のフローチャート図には、図９のステップＳ３１９の後及び図１０のステップＳ３３７の後に行われるステップＳ３３９からステップＳ３４３までが含まれる。
【００８２】
詳細には、第２の実施形態は、全体でステップＳ３０１からステップＳ３４３までを含み、第１の実施形態と比べると、第１の実施形態の処理方法に対して、ステップＳ３０９、ステップＳ３１１、ステップＳ３１３、ステップＳ３２７、ステップＳ３２９、ステップＳ３３１、ステップＳ３３９、ステップＳ３４１、及びステップＳ３４３を追加した処理方法となる。従って、本実施形態の図９のステップＳ３０１からステップＳ３０５までは、第１の実施形態の図３のステップＳ１０１からステップＳ１０５と共通し、本実施形態の図９のステップＳ３１５からステップＳ３２１までは、第１の実施形態の図３のステップＳ１１５からステップＳ１２１と共通する。さらに、本実施形態の図１０のステップＳ３２３は、第１の実施形態の図４のステップＳ１２３と共通し、本実施形態の図１０のステップＳ３３３からステップＳ３３７までは、第１の実施形態の図４のステップＳ１３３からステップＳ１３７と共通する。そのため、ここでは、これらの共通するステップの説明については省略する。
【００８３】
まず、図９のフローチャート図のステップＳ３０１からステップＳ３２１までのうち、第１の実施形態と共通ではないステップについて説明する。
【００８４】
（ステップＳ３０７）
制御部１３０は、読取書込部１３６によって記録媒体から読み取られた情報と、記憶部１２６に記憶された紙幣整理装置１０を特定する特定情報とを参照して、記録媒体から読み取られた情報に、紙幣整理装置１０を特定する特定情報が含まれているか否かを判断する。記録媒体から読み取られた情報に、紙幣整理装置１０を特定する特定情報が含まれている場合には、ステップＳ３１９へ進む。一方、記録媒体から読み取られた情報に、紙幣整理装置１０を特定する特定情報が含まれていない場合には、ステップＳ３０９へ進む。
【００８５】
（ステップＳ３０９）
制御部１３０は、第１の実施形態の変形例のステップＳ２０９と同様に、操作表示部１２０に、操作者に対して、許可設定を行うか否かを選択する選択操作を誘導する誘導画面６０の表示を行うように指示する。この指示に基づいて、操作表示部１２０は、例えば、図８に示される誘導画面６０のように表示を行う。そして、この誘導画面６０によって誘導されることにより、操作者は、許可設定を行うか否かを選択することとなる。次いで、ステップＳ３１１へ進む。なお、本実施形態においては、誘導画面６０は、図８に示される画面に限定されることはなく、例えば、操作者が上記選択操作を完了したことを紙幣整理装置１０へ通知するための作業完了ボタン等を含んでもよい。
【００８６】
（ステップＳ３１１）
制御部１３０は、第１の実施形態の変形例のステップＳ２１１と同様に、操作表示部１２０の出力に基づいて、操作者によって許可設定を行うことが選択されたか否かを判断する。操作者が上記許可設定を行うことを選択した場合には、ステップＳ３１３へ進む。一方、操作者が上記許可設定を行わないことを選択した場合には、ステップＳ３１５へ進む。
【００８７】
（ステップＳ３１３）
制御部１３０は、読取書込部１３６に対して、記憶部１２６に記憶された紙幣整理装置１０を特定する特定情報を参照して、記録媒体に当該特定情報を書き込むように指示する。この指示に基づいて、読取書込部１３６は、記録媒体に、紙幣整理装置１０を特定する特定情報を書き込む。すなわち、本実施形態においては、記録媒体の装着を維持したまま運用モードに設定することを許可する許可設定は、読取書込部１３６によって上記特定情報が記録媒体に書き込まれることにより行われる。次いで、ステップＳ３１９へ進む。
【００８８】
次に、図９のステップＳ３２１の後に行われる、図１０のフローチャート図のステップＳ３２３からステップＳ３３７までのうち、第１の実施形態と共通ではないステップについて説明する。
【００８９】
（ステップＳ３２５）
制御部１３０は、図９のステップＳ３０７と同様に、読取書込部１３６によって記録媒体から読み取られた情報と、記憶部１２６に記憶された紙幣整理装置１０を特定する特定情報とを参照して、記録媒体から読み取られた情報に、紙幣整理装置１０を特定する特定情報が含まれているか否かを判断する。記録媒体から読み取られた情報に、紙幣整理装置１０を特定する特定情報が含まれている場合には、ステップＳ３３７へ進む。一方、記録媒体から記録媒体から読み取られた情報に、紙幣整理装置１０を特定する特定情報が含まれていない場合には、ステップＳ３２７へ進む。
【００９０】
（ステップＳ３２７）
制御部１３０は、図９のステップＳ３０９と同様に、操作表示部１２０に、操作者に対して、許可設定を行うか否かを選択する選択操作を誘導する誘導画面６０の表示を行うように指示する。この指示に基づいて、操作表示部１２０は、例えば、図８に示される誘導画面６０のように表示を行う。そして、この誘導画面６０によって誘導されることにより、操作者は、許可設定を行うか否かを選択することとなる。次いで、ステップＳ３２９へ進む。なお、本実施形態においては、誘導画面６０は、図８に示される画面に限定されることはなく、例えば、操作者が上記選択操作を完了したことを紙幣整理装置１０へ通知するための作業完了ボタン等を含んでもよい。
【００９１】
（ステップＳ３２９）
制御部１３０は、図９のステップＳ３１１と同様に、操作表示部１２０の出力に基づいて、操作者によって許可設定を行うことが選択されたか否かを判断する。操作者が上記許可設定を行うことを選択した場合には、ステップＳ３３１へ進む。一方、操作者が上記許可設定を行わないことを選択した場合には、ステップＳ３３３へ進む。
【００９２】
（ステップＳ３３１）
制御部１３０は、図９のステップＳ３１３と同様に、読取書込部１３６に対して、記憶部１２６に記憶された紙幣整理装置１０を特定する特定情報を参照して、記録媒体に当該特定情報を書き込むように指示する。この指示に基づいて、読取書込部１３６は、記録媒体に、当該特定情報を書き込む。次いで、ステップＳ３３７へ進む。
【００９３】
次に、図９のステップＳ３１９の後、及び図１０のステップＳ３３７の後に行われる、図１１のステップＳ３３９からステップＳ３４３までを説明する。
【００９４】
（ステップＳ３３９）
制御部１３０は、操作表示部１２０からの出力に基づいて、操作者により、紙幣整理装置１０を運用モードから保守モードに切り替える切替操作が行われたか否かを、判断する。上記切替操作が行なわれたと判断した場合には、ステップＳ３４１へ進む。一方、上記切替操作が行なわれていないと判断した場合には、図９のステップＳ３０１へ戻る。
【００９５】
（ステップＳ３４１）
制御部１３０は、読取書込部１３６に対して、記録媒体に書き込まれた紙幣整理装置１０を特定する特定情報を消去するように指示する。この指示に従い、読取書込部１３６は、記録媒体に書き込まれた紙幣整理装置１０を特定する特定情報を消去する。操作者によって保守モードに切り替えられる場合には、運用モード中での情報の取得は完了したと想定される。そして、情報の取得作業が完了した後には、さらなる運用モード中での情報の取得を避けるために、すなわち、情報管理をより厳重にするために、許可設定を迅速に解消することが好ましく、そのため、当該ステップＳ３４１において、記録媒体に書き込まれた紙幣整理装置１０を特定する特定情報を消去する。次いで、ステップＳ３４３へ進む。
【００９６】
（ステップＳ３４３）
制御部１３０は、操作者による保守モードへ切り替える切替操作に基づいて、紙幣整理装置１０を保守モードへ切り替え、本実施形態に係る処理を終了する。
【００９７】
第２の実施形態においては、記録媒体に記録された情報に、紙幣整理装置１０を特定する特定情報が含まれているか否かに基づいて、制御部１３０は、許可設定が行われているか否かを判断する。このようにすることで、本実施形態によれば、特定の記録媒体に対してのみ運用モードでの装着を許可することができ、一度許可した場合には、当該記録媒体から上記特定情報が消去されない限りは、上述の誘導画面５０、６０等を表示させることなく、当該記録媒体の装着を維持したまま運用モードに設定することができるため、処理を迅速に進めることができ、ひいては紙幣整理装置１０の利便性を向上させることができる。さらに、本実施形態においては、運用モードでの情報の取得作業が完了した後に、記録媒体に書き込まれた紙幣整理装置１０を特定する特定情報を消去して、上記許可設定を迅速に解消する。このようにすることで、本実施形態によれば、運用モードでの情報の取得作業が完了した後に、さらなる運用モード中での情報の取得を避け、ひいては情報管理をより厳重にすることができる。
【００９８】
なお、本実施形態においては、記録媒体への紙幣整理装置１０を特定する特定情報の書き込みは、紙幣整理装置１０の読取書込部１３６により行われることに限定されるものではなく、紙幣整理装置１０の外部装置によって行われてもよい。ただし、この場合であっても、情報管理の観点から、記録媒体への紙幣整理装置１０を特定する特定情報の書き込みの際には、許可設定を行うことができる権限を持つ操作者によって書き込みが行われていることを確認するために、外部装置は、操作者に対して、当該権限を持つ操作者を特定するためのパスワードの入力を求めることが好ましい。さらに、外部装置は、許可設定を行うことができる権限を有する複数人の操作者によって重畳して入力操作することにより、録媒体への紙幣整理装置１０を特定する特定情報の書き込みを行うようにしてもよい。
【００９９】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【０１００】
また、上述した各実施形態の処理における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。
【符号の説明】
【０１０１】
１０  紙幣整理装置
５０、６０  画面
１００  取込部
１０２  鑑別部
１０４  リジェクトポケット
１０６  オープンポケット
１０８  表裏反転部
１１０  集積部
１１２  移送部
１１２ａ  クランプ部
１１４  紙幣結束部
１１６  搬送部
１２０  操作表示部
１２２  操作部
１２４  基板
１２６  記憶部
１２８  外部インターフェース部
１３０  制御部
１３２  装着部
１３４  検知部
１３６  読取書込部
１３８  扉
１５０  ローラ
１５４  収納空間
１５６  ガイド
１５８  ビルプレス
【図１】
0006617510.tif 000002
【図２】
0006617510.tif 000003
【図３】
0006617510.tif 000004
【図４】
0006617510.tif 000005
【図５】
0006617510.tif 000006
【図６】
0006617510.tif 000007
【図７】
0006617510.tif 000008
【図８】
0006617510.tif 000009
【図９】
0006617510.tif 000010
【図１０】
0006617510.tif 000011
【図１１】
0006617510.tif 000012